(57)【特許請求の範囲】
【請求項１】
疾患検出機能を備えるペットパッドの生産工程であって、
Ａ． ０.０１−１ｋｇ尿試薬を１−５ｋｇエタノールに加えて、尿試薬エタノール溶液を調製するステップと、
Ｂ．前記尿試薬エタノール溶液と２０−１００ｋｇ陽イオン交換樹脂を混合して、５−１０分間攪拌して、４０−６０℃の低温で乾燥して、エタノールを抜き出すステップと、
Ｃ．前記抜き出すステップで形成された混合物とパルプ紙を張り合わせて疾患検出層を形成するステップと、
Ｄ．前記疾患検出層にＰＥフィルムと不織布表面被覆層を被せて疾患検出機能を備えるペットパッドを形成するステップと、
を含むことを特徴とする疾患検出機能を備えるペットパッドの生産工程。
【請求項２】
前記陽イオン交換樹脂は、弱酸性陽イオン交換樹脂であって、前記尿試薬は、ブロモフェノールレッド、ブロモクレゾールパープル、ブロモチモールブルー、ニュートラルレッド又はフェノールレッドであることを特徴とする請求項１に記載の疾患検出機能を備えるペットパッドの生産工程。
【請求項３】
前記弱酸性陽イオン交換樹脂がゲル型カルボキシル陽イオン交換樹脂であることを特徴とする請求項２に記載の疾患検出機能を備えるペットパッドの生産工程。
【発明の詳細な説明】
【技術分野】
【０００１】
本発明はペットパッドの生産工程に関して、特に疾患検出機能を備えるペットパッドの生産工程に関する。
【背景技術】
【０００２】
現在、人々の生活水準の向上に伴って、猫や犬などのペットが人々の生活に入り始め、そして人々の地位が高ければ高いほど、ペットに対する衛生リクエストも高くなる。しかし、日常生活において、ペットの排泄物、特に尿の処理が相当に面倒なことで、飼い主がかなりの労力を費やして解決する必要がある。環境を守るために、そしてペットの生息場所をさらに快適にさせ、ペットの動物権利リクエストを満足して、同時に人々がペットを掃除する面倒な労働を削減するために、すでに数多い人がペットを飼うときにペットパッドを使用する。
【０００３】
ペットの排泄物がペット体内の各種の代謝活動によって生成された物質であるため、排泄物の状況及びその中の成分が、いつも動物の体内の健康状況を正確的に反映できる。特に身体の消化代謝を集合した後で生成した尿は、泌尿系の多層の障壁を経て、その中に含まれる健康情報が血液検査に匹敵する。その中に、泌尿系以外にも、ペットの各系で生成した廃棄物も大半尿より排出される為、ある全身的な病気にも尿検査よりペットの監視を行う。ペットが病気にかかると、排泄された尿の成分及び色などは変化があって、ペットの尿を観察することより、人々がペットの病気情況を発見でき、タイムリーで処理できる。ペットパッドを使用した後で、ペットの尿がパッドより吸収され、人々がタイムリーでペット尿の異常情況が発見でき、最初からペットの健康状態を把握できないことになってしまう。
【発明の概要】
【発明が解決しようとする課題】
【０００４】
本発明の解決しようとする技術問題は、疾患検出機能を備えるペットパッドの生産工程を提供することである。
【課題を解決するための手段】
【０００５】
上記技術問題を解決するように、本発明が採用した技術案は疾患検出機能を備えるペットパッドの生産工程であって、
Ａ．０.０１−１ｋｇ尿試薬を１−５ｋｇエタノールに加えて、尿試薬エタノール溶液を調製するステップと、
Ｂ．尿試薬エタノール溶液と２０−１００ｋｇ陽イオン交換樹脂を混合して、５−１０分間攪拌して、４０−６０℃の低温で乾燥して、エタノールを抜き出すステップと、
Ｃ．抜き出すステップで形成された混合物とパルプ紙を張り合わせて疾患検出層を形成するステップと、
Ｄ．疾患検出層にＰＥフィルムと不織布表面被覆層を被せて疾患検出機能を備えるペットパッドを形成するステップと、を含む。
【０００６】
上記技術問題をよりよく解決するように、本発明がさらに採用した技術案は、上記陽イオン交換樹脂は、弱酸性陽イオン交換樹脂であって、上記尿試薬は、ブロモフェノールレッド、ブロモクレゾールパープル、ブロモチモールブルー、ニュートラルレッド又はフェノールレッドであることである。
【０００７】
上記技術問題をよりよく解決するように、本発明がさらに採用した技術案は、上記弱酸性陽イオン交換樹脂がゲル型カルボキシル陽イオン交換樹脂であることである。
【０００８】
当該パッドは従来のパッド成分以外に、さらにイオン交換樹脂と尿試薬で組み合わせた疾患検出層を追加して、本発明は生産したパッドの中に弱酸性イオン交換樹脂が含まれて、尿の中に塩で形成し存在する電解質（Ｍ＋Ｘ−）、尿の中にＭ＋（主なのはＮａ＋である）を解離して、それをイオン交換体における水素イオン（Ｈ＋）と置き換えて、水素イオン（Ｈ＋）を解放して、（Ｈ＋）が尿試薬を色の変化を生み出させる。
【０００９】
本発明の利点は、上記疾患検出機能を備えるペットパッドの生産工程より生産されたペットパッドがペットの尿を処理する同時に、便利で提供ペットの健康状況の第一情報を提供でき、普通なペットパッドの基礎で溶解、混合及び乾燥などの工程を増やすだけで、化学工業の共通方法を採用して処理できるため、必要な設備が少なく、操作が簡単である。
【発明を実施するための形態】
【００１０】
以下、具体的な実施例により本発明の具体的な内容をより詳しく説明する。
【００１１】
疾患検出機能を備えるペットパッドの生産工程は、
Ａ．０.０１−１ｋｇ尿試薬を１−５ｋｇエタノールに加えて、尿試薬エタノール溶液を調製するステップと、
Ｂ．尿試薬エタノール溶液と２０−１００ｋｇ陽イオン交換樹脂を混合して、５−１０分間攪拌して、４０−６０℃の低温で乾燥して、エタノールを抜き出すステップと、
Ｃ．上記ステップで形成された混合物とパルプ紙を張り合わせて疾患検出層を形成するステップと、
Ｄ．疾患検出層にＰＥフィルムと不織布表面被覆層を被せて、疾患検出機能を備えるペットパッドを形成するステップと、を含む。
【００１２】
上記陽イオン交換樹脂は、弱酸性陽イオン交換樹脂であって、更に好ましいのは、ゲル型カルボキシル陽イオン交換樹脂である。上記尿試薬は、ブロモフェノールレッド、ブロモクレゾールパープル、ブロモチモールブルー、ニュートラルレッド又はフェノールレッドである。
【００１３】
実施例１
Ａ．０.１ｋｇブロモフェノールレッドを５ｋｇエタノールに加えて、ブロモフェノールレッドエタノール溶液を調製して、
Ｂ．ブロモフェノールレッドエタノール溶液と１００ｋｇゲル型アクリル酸イオン交換樹脂を混合して、５分間攪拌して、乾燥温度が４０℃の低温で乾燥して、エタノールを抜き出して、
Ｃ．上記ステップで形成された混合物とパルプ紙を張り合わせて疾患検出層を形成して、
Ｄ．疾患検出層にＰＥフィルムと不織布を被せて疾患検出機能を備えるペットパッドを形成する。
【００１４】
ペットは当該ペットパッドを使用した後で、正常な情況で、パッドが赤色になって、ペットが病気になると、パッドの色が薄赤色又は黄色になる。
【００１５】
実施例２
Ａ． １ｋｇブロモクレゾールパープルを５ｋｇエタノールに加えて、ブロモクレゾールパープルエタノール溶液を調製して、
Ｂ．ブロモクレゾールパープルエタノール溶液と１００ｋｇゲル型アクリル酸イオン交換樹脂を混合して、５分間攪拌して、乾燥温度が５０℃の低温で乾燥して、エタノールを抜き出して、
Ｃ．上記ステップで形成された混合物とパルプ紙を張り合わせて疾患検出層を形成して、
Ｄ．疾患検出層にＰＥフィルムと不織布を被せて疾患検出機能を備えるペットパッドを形成する。
【００１６】
ペットは当該ペットパッドを使用した後で、正常な情況で、パッドが赤紫色になって、ペットが病気になると、パッドの色が赤色又は黄色になる。
【００１７】
実施例３
Ａ．０.１ｋｇブロモチモールブルーを１ｋｇエタノールに加えて、ブロモチモールブルーエタノール溶液を調製して、
Ｂ．ブロモチモールブルーエタノール溶液と２０ｋｇゲル型アクリル酸イオン交換樹脂を混合して、５分間攪拌して、乾燥温度が４５℃の低温で乾燥して、エタノールを抜き出して、
Ｃ．上記ステップで形成された混合物とパルプ紙を張り合わせて疾患検出層を形成して、
Ｄ．疾患検出層にＰＥフィルムと不織布を被せて疾患検出機能を備えるペットパッドを形成する。
【００１８】
ペットは当該ペットパッドを使用した後で、正常な情況で、パッドが薄青色になって、ペットが病気になると、パッドの色が青色又は黄色になる。
【００１９】
実施例４
Ａ．１ｋｇニュートラルレッドを４ｋｇエタノールに加えて、ニュートラルレッドエタノール溶液を調製して、
Ｂ．ニュートラルレッドエタノール溶液と６０ｋｇゲル型アクリル酸イオン交換樹脂を混合して、５分間攪拌して、乾燥温度が６０℃の低温で乾燥して、エタノールを抜き出して、
Ｃ．上記ステップで形成された混合物とパルプ紙を張り合わせて疾患検出層を形成して、
Ｄ．疾患検出層にＰＥフィルムと不織布を被せて疾患検出機能を備えるペットパッドを形成する。
【００２０】
ペットは当該ペットパッドを使用した後で、正常な情況で、パッドが黄色になって、ペットが病気になると、パッドの色が鮮黄色又は赤色になる。
【００２１】
実施例５
Ａ． ０.１ｋｇフェノールレッドを５ｋｇエタノールに加えて、フェノールレッドエタノール溶液を調製して、
Ｂ．フェノールレッドエタノール溶液と５０ｋｇゲル型アクリル酸イオン交換樹脂を混合して、５分間攪拌して、乾燥温度が５５℃の低温で乾燥して、エタノールを抜き出して、
Ｃ．上記ステップで形成された混合物とパルプ紙を張り合わせて疾患検出層を形成して、
Ｄ．疾患検出層にＰＥフィルムと不織布を被せて疾患検出機能を備えるペットパッドを形成する。
【００２２】
ペットは当該ペットパッドを使用した後で、正常な情況で、パッドが薄赤色になって、ペットが病気になると、パッドの色が黄色又は赤色になる。
【００２３】
本発明は上記実施例で挙げる案に限らない、本説明書の発明内容で言及した案でいずれも実施できる。